(57)【要約】  【課題】  ドレン排出系統に改良を加え、装置内の各部品の劣化を防止できるようにした潜熱回収型温水暖房装置を提供する。  【解決手段】  潜熱回収型温水暖房装置１のドレン排水系統７０は、ドレン受け２３から送られたドレンを中和する中和器７１と、中和されたドレンのｐＨを検知するｐＨセンサー７６と、ｐＨ検知後のドレンを暖房回路３３に注入するドレン注入管路７５と、暖房往き配管３５から分岐するドレン排水管路３７とを有する。ドレンは、中和器７１、ドレン注入管路７５、暖房回路３３、３４、一次熱交換器１９、暖房往き配管３５及びドレン排水管路３７を通って排水される。中和器を通った後のドレンのｐＨを検知して、ドレンが十分に中和されていない場合は、暖房循環回路へのドレン注入を停止したり、中和不十分のドレンが流れたおそれのある暖房循環回路に上水を注水することによりドレンを希釈する、などの処置を行う。【選択図】  図１
2006162121.tif 000002
【特許請求の範囲】
【請求項１】
潜熱回収型給湯器本体と、該本体と暖房装置との間で温水を循環させる暖房循環回路と、を備える潜熱回収型温水暖房装置であって、
前記暖房循環回路内で温水を循環させる暖房循環ポンプと、前記給湯器本体内に設置された潜熱回収型熱交換器（二次熱交換器）及び顕熱回収型熱交換器（一次熱交換器）と、前記二次熱交換器で生じる凝縮水（ドレン）を受けるドレン受けと、該ドレン受けに溜まったドレンを排水するドレン排水系統と、を有し、
前記ドレン排水系統が、
前記ドレン受けから送られたドレンを中和する中和器と、
中和されたドレンのｐＨを検知するｐＨセンサーと、
ｐＨ検知後の中和ドレンを前記暖房循環回路に注入するドレン注入管路と、
前記暖房循環回路から分岐するように設けられたドレン排水管路と、
を有し、
ドレンが、前記中和器、前記ドレン注入管路、前記暖房循環回路及び前記ドレン排水管路を通って排水されることを特徴とする潜熱回収型温水暖房装置。
【請求項２】
潜熱回収型給湯器本体と、該本体から浴槽に給湯するとともに追い焚きを行う風呂給湯系統と、を備える潜熱回収型風呂給湯装置であって、
前記給湯器本体が、潜熱回収型熱交換器（二次熱交換器）及び顕熱回収型熱交換器（一次熱交換器）と、前記二次熱交換器で生じる凝縮水（ドレン）を受けるドレン受けと、該ドレン受けに溜まったドレンを排水するドレン排水系統と、を有し、
さらに、前記風呂給湯系統が、前記給湯器本体と前記浴槽との間で浴槽水が循環する風呂追い焚き回路と、該回路内で浴槽水を循環させる風呂循環ポンプと、を有し、
前記ドレン排水系統が、
前記ドレン受けから送られたドレンを中和する中和器と、
中和されたドレンのｐＨを検知するｐＨセンサーと、
ｐＨ検知後の中和ドレンを前記風呂給湯系統に注入するドレン注入管路と、
前記風呂追い焚き回路から分岐するように設けられたドレン排水管路と、
を有し、
ドレンが、前記中和器、前記ドレン注入管路、前記風呂追い焚き回路及び前記ドレン排水管路を通って排水されることを特徴とする潜熱回収型風呂給湯装置。
【請求項３】
さらに、中和されたドレンを貯留するドレンタンクを有し、
前記ドレン注入管路が、該ドレンタンクから、前記暖房循環ポンプの上流の前記暖房循環回路又は前記風呂循環ポンプの上流の前記風呂追い焚き回路に接続されていることを特徴とする請求項１又は２記載の潜熱回収型温水暖房装置。
【請求項４】
前記ドレン注入管路の先端が、前記暖房循環回路に設けられた暖房タンク（シスターン）上に開放されていることを特徴とする請求項１記載の潜熱回収型温水暖房装置。
【請求項５】
前記ドレン注入管路にドレン排出ポンプが設けられており、
前記ドレン注入管路が前記暖房循環回路又は前記風呂追い焚き回路に接続されていることを特徴とする請求項１又は２記載の潜熱回収型温水暖房装置。
【請求項６】
前記ドレン注入管路に、該管路を開閉するドレン注入弁が設けられていることを特徴とする請求項１〜５いずれか１項記載の潜熱回収型温水暖房装置。
【請求項７】
前記ｐＨセンサーで検知されたドレンのｐＨが閾値以下の場合、
前記暖房装置の運転又は前記風呂の追い焚き運転ないしは注湯運転（風呂湯張り）を停止し、
前記ドレン注入弁を閉じるとともに前記ドレン排水弁を開き、注入されたドレンを前記暖房循環回路又は前記風呂追い焚き回路内の水を混入し、前記暖房循環回路又は前記風呂追い焚き回路内の水を排水することを特徴とする請求項６記載の潜熱回収型温水暖房装置。
【請求項８】
前記ドレン排水弁を開いた後、前記暖房循環ポンプ又は前記風呂循環ポンプの回転数を上げることを特徴とする請求項７記載の潜熱回収型温水暖房装置。
【請求項９】
前記ｐＨセンサーで検知されたドレンのｐＨが閾値以下の場合、
前記ドレン注入弁を閉じるとともに前記ドレン排水弁を開き、さらに、一定の時間前記暖房循環回路又は前記風呂追い焚き回路に上水を補水して、該暖房循環回路又は該風呂追い焚き回路のドレン通過経路を洗浄することを特徴とする請求項７記載の潜熱回収型温水暖房装置。
【請求項１０】
前記一定の時間が、前記暖房循環回路又は前記風呂追い焚き回路に注入されたドレンが前記ドレン排水管路から排水されたと予想される時間より長いことを特徴とする請求項９記載の潜熱回収型温水暖房装置。
【請求項１１】
前記暖房循環回路又は前記風呂追い焚き回路のドレン経過通路の洗浄後、該暖房循環回路又は該風呂追い焚き回路に補水しながら前記暖房循環ポンプ又は風呂循環ポンプを一定時間運転させて、該暖房循環回路又は該風呂追い焚き回路のエア抜き運転を行うことを特徴とする請求項９記載の潜熱回収型温水暖房装置。
【請求項１２】
前記暖房循環回路又は風呂追い焚き回路のドレン経過通路の洗浄及びエア抜き運転後に前記暖房装置の運転又は前記風呂追い焚き運転を再開した後、
前記ドレンタンクの水位が高水位に達した場合に、エラーを発信して前記給湯器本体及び前記暖房装置の運転並びに前記風呂追い焚き運転を停止することを特徴とする請求項３、請求項５〜１１いずれか１項記載の潜熱回収型温水暖房装置。
【請求項１３】
前記暖房循環回路又は前記風呂追い焚き系統のドレン経過通路の洗浄及びエア抜き運転後に前記暖房装置の運転又は前記風呂追い焚き運転を再開した後で、前記ドレンタンクの水位が高水位に達した場合に、
ドレンの排水、前記暖房循環回路又は前記風呂追い焚き回路のドレン通過経路の洗浄及び前記暖房循環回路又は前記風呂追い焚き回路のエア抜き運転を繰り返し行うことを特徴とする請求項３、請求項５〜１１いずれか１項記載の潜熱回収型温水暖房装置。
【請求項１４】
前記ｐＨセンサーで検知されたドレンのｐＨが閾値以下の場合、
前記ドレンタンクの水位が低水位となるまでドレンを該ドレンタンクから排出することを特徴とする請求項３、請求項５〜１３いずれか１項記載の潜熱回収型温水暖房装置。
【請求項１５】
前記ｐＨセンサーは、ドレン排水を指示する信号を受けたときのみ電源がオンされることを特徴とする請求項１〜１４記載の潜熱回収型温水暖房装置。
【発明の詳細な説明】
【技術分野】
【０００１】
本発明は、燃焼排ガスの潜熱エネルギを回収する潜熱回収型の温水暖房装置（風呂給湯器を含む）に関する。特には、燃焼排ガス中の水蒸気が復水して生じたドレンを排出するドレン排出系統に改良を加え、装置内の各部品の劣化を防止できるようにした潜熱回収型温水暖房装置に関する。
【背景技術】
【０００２】
潜熱回収型の温水暖房装置（床暖房装置や浴室暖房装置、風呂給湯器等）では、近年では熱効率が９５％以上のものも開発されつつあり、省エネ機器として注目されている。
【０００３】
このような潜熱回収型の暖房装置の給湯器本体（燃焼室）内には、一次熱交換器と二次熱交換器が備えられている。給水配管から供給された水は、通常、最初に二次熱交換器を通過し、次に一次熱交換器を通過する。一次熱交換器では、バーナで燃焼した火炎による輻射熱と燃焼ガスによって、管内を流れる水が加熱される。燃焼ガスはファンによって二次熱交換器に送られて、同ガス中に含まれる高温の水蒸気が二次熱交換器に接する。そして、管内を流れる水がこの水蒸気の潜熱を吸収して加熱される。一方、水蒸気は凝縮し、水（ドレン）に変化する。
【０００４】
ドレンは、二次熱交換器の下方に設置されている受け皿に滴下し、受け皿から中和器に送られて中和される。中和されたドレンはドレン受け（ドレンタンク）に溜まる。ドレンが所定の水位まで溜まると、ドレン排水管から排水設備へ排水される。このとき、例えば、近年の集合住宅のように、片側が廊下に面するパイプシャフト内に燃焼室を設置するような場合には、燃焼室の近傍に排水設備が存在しない。このため、パイプシャフトから台所や浴室等までドレン配水管を引かなければならず、このドレン排出用の配管工事に余分な手間がかかる。
【０００５】
そこで、本出願人は、ドレンを暖房回路もしくは風呂給湯系統に注入する案を提案した（特許文献１、２参照）。
特許文献１では、ドレン受けから延びた排水管が、暖房循環回路の暖房タンク下流に接続されている。そして、暖房循環回路内の、排水設備を備えた暖房装置の近傍に、ドレン排水用の端末排水管が設けられている。ドレンは暖房循環回路に注入されて、同回路を流れる水により希釈される。そして、ドレンが混入した水は、端末排水管から排水設備に排水される。
【０００６】
特許文献２では、ドレン受けから延びた排水管が、風呂給湯系統の往き管路に接続している。ドレンが往き管路に注入されて、同管路内のお湯に混合されて、浴槽に送られる。ドレンを浴槽往きのお湯と混合すると、ｐＨは６．５程度となり、浴槽水として使用しても人体に影響を与えない。
【０００７】
【特許文献１】特開２００３−１３０４６４
【特許文献２】特開２００３−４２５６６
【発明の開示】
【発明が解決しようとする課題】
【０００８】
しかしながら、上述の方法では、ドレン受けの中和器が何等かの原因で故障すると、ドレンが酸性のまま暖房回路や風呂給湯系統に注入されることになる。その場合、これらの回路や給湯系統に設けられている循環ポンプや熱交換器、暖房装置端末などが酸性により腐食し、劣化することが懸念される。なお、暖房循環ポンプ等を耐酸性のものにすれば、同ポンプの耐久性が上がるが、十分な汲み上げ力を有する耐酸性のポンプは非常に高価となる。
【０００９】
本発明は上記の問題点に鑑みてなされたものであって、燃焼排ガス中の水蒸気が復水して生じたドレンを排出するドレン排出系統に改良を加え、装置内の各部品の劣化を防止できるようにした潜熱回収型温水暖房装置を提供することを目的とする。
【課題を解決するための手段】
【００１０】
本発明の潜熱回収型温水暖房装置は、  潜熱回収型給湯器本体と、該本体と暖房装置との間で温水を循環させる暖房循環回路と、を備える潜熱回収型温水暖房装置であって、
前記暖房循環回路内で温水を循環させる暖房循環ポンプと、前記給湯器本体内に設置された潜熱回収型熱交換器（二次熱交換器）及び顕熱回収型熱交換器（一次熱交換器）と、前記二次熱交換器で生じる凝縮水（ドレン）を受けるドレン受けと、該ドレン受けに溜まったドレンを排水するドレン排水系統と、を有し、  前記ドレン排水系統が、  前記ドレン受けから送られたドレンを中和する中和器と、  中和されたドレンのｐＨを検知するｐＨセンサーと、  ｐＨ検知後の中和ドレンを前記暖房循環回路に注入するドレン注入管路と、  前記暖房循環回路から分岐するように設けられたドレン排水管路と、を有し、  ドレンが、前記中和器、前記ドレン注入管路、前記暖房循環回路及び前記ドレン排水管路を通って排水されることを特徴とする。
【００１１】
ドレンは、中和器を通った後、ドレン注入管路、暖房循環回路及びドレン排水管路を通って排水される。ここで、中和器を通った後のドレンのｐＨを検知するため、中和器の中和性能をチェックすることができる。ドレンが十分に中和されていない場合は、暖房循環回路へのドレン注入を停止したり、中和不十分のドレンが流れたおそれのある暖房循環回路に上水を注水することによりドレンを希釈する、などの処置を行う。したがって、中和器の故障や中和能力の低下などのトラブルを検知できるだけでなく、このようなトラブルが生じた際に、速やかにドレンの混入した暖房循環回路内の水を排水でき、暖房循環回路が酸性のドレンにより劣化することを防止できる。また、中和器の中和能力をオーバースペックにしておく必要もなくなるので、中和器のサイズ・中和剤充填量を縮小でき、コスト減となる。
【００１２】
本発明の他の潜熱回収型温水暖房装置は、  潜熱回収型給湯器本体と、該本体から浴槽に給湯するとともに追い焚きを行う風呂給湯系統と、を備える潜熱回収型温水暖房装置であって、  前記給湯器本体が、潜熱回収型熱交換器（二次熱交換器）及び顕熱回収型熱交換器（一次熱交換器）と、前記二次熱交換器で生じる凝縮水（ドレン）を受けるドレン受けと、該ドレン受けに溜まったドレンを排水するドレン排水系統と、を有し、  さらに、前記風呂給湯系統が、前記給湯器本体と前記浴槽との間で浴槽水が循環する風呂追い焚き回路と、該回路内で浴槽水を循環させる風呂循環ポンプと、を有し、  前記ドレン排水系統が、  前記ドレン受けから送られたドレンを中和する中和器と、  中和されたドレンのｐＨを検知するｐＨセンサーと、  ｐＨ検知後の中和ドレンを前記風呂給湯系統に注入するドレン注入管路と、  前記風呂追い焚き回路から分岐するように設けられたドレン排水管路と、を有し、  ドレンが、前記中和器、前記ドレン注入管路、前記風呂追い焚き回路及び前記ドレン排水管路を通って排水されることを特徴とする。
【００１３】
風呂給湯系統の一部（風呂追い焚き回路）を使用して、希釈したドレンを排出することもできる。
【００１４】
本発明においては、  さらに、中和されたドレンを貯留するドレンタンクを有し、  前記ドレン注入管路が、該ドレンタンクから、前記暖房循環ポンプの上流の前記暖房循環回路又は前記風呂循環ポンプの上流の前記風呂追い焚き回路に接続されていることが好ましい。
【００１５】
ドレンをドレンタンクに貯留することにより、ある程度に時間をかけて溜まったドレン短時間に排水することができるため、暖房運転や追焚運転の妨げとなりにくい。そして、ドレン注入管路をポンプの上流に接続させることにより、ポンプの負圧によってドレンをドレンタンクから回路内に注入させることができるので、別個のドレンポンプを設置する必要がない。
【００１６】
本発明においては、  前記ドレン注入管路の先端が、前記暖房循環回路に設けられた暖房タンク（シスターン）上に開放されていることが好ましい。
【００１７】
ドレンを暖房タンクに滴下させることにより、ドレンタンクが不要となり、給湯器の部品数を減らすことができ、給湯器本体の体積を少なくできる。
【００１８】
本発明においては、  前記ドレン注入管路にドレン排出ポンプが設けられており、  前記ドレン注入管路が前記暖房循環回路又は前記風呂追い焚き回路に接続されていることが好ましい。
【００１９】
ドレン排出ポンプを設けることにより、ドレン注入管路を暖房循環回路や風呂追い焚き回路の任意の位置に接続することができる。つまり、ドレンタンクから暖房循環回路等にドレンを注入する際は、同回路側を相対的に負圧にして、ドレンタンクから同回路にドレンを送り込む必要がある。したがって、別個のドレンポンプを設けない場合は、ドレン注入管路を暖房循環ポンプ又は風呂循環ポンプの上流の回路に接続する必要がある。しかし、ドレン注入管路にドレンポンプを設けることにより、回路の任意の位置にドレン注入管路を接続しても、回路にドレンを送り込むことができる。例えば、ドレン排水管路に近い位置で合流させることにより、暖房循環回路や風呂追い焚き回路におけるドレン通過経路を短くできる。
【００２０】
本発明においては、  前記ドレン注入管路に、該管路を開閉するドレン注入弁が設けられていることとすれば、ドレン注入弁を閉とすることによりドレンの注入を適宜に停止できるため、暖房循環回路や風呂追い焚き回路の洗浄やエア抜き運転時に回路内にドレンが混入することを防ぐことができる。
【００２１】
本発明においては、  前記ｐＨセンサーで検知されたドレンのｐＨが閾値以下の場合、  前記暖房装置の運転又は前記風呂の追い焚き運転ないしは注湯（風呂湯張り）運転を停止し、  前記ドレン注入弁を閉じるとともに前記ドレン排水弁を開き、注入されたドレンを前記暖房循環回路又は前記風呂追い焚き回路内の水を混入し、前記暖房循環回路又は前記風呂追い焚き回路内の水を排水することが好ましい。
【００２２】
暖房循環回路や風呂追い焚き回路の一部（ドレン注入管路との接続部からドレン排水管路までの部分）を利用して、ドレンを排水できる。
【００２３】
本発明においては、  前記ドレン排水弁を開いた後、前記暖房循環ポンプ又は前記風呂循環ポンプの回転数を上げることとすれば、ドレン混入水の排水をできるだけ短時間で行うことができ、回路内の部品がドレンの酸性に晒されている時間をできるだけ短くできる。
【００２４】
本発明においては、  前記ｐＨセンサーで検知されたドレンのｐＨが閾値以下の場合、  前記ドレン注入弁を閉じるとともに前記ドレン排水弁を開き、さらに、一定の時間前記暖房循環回路又は前記風呂追い焚き回路に上水を補水して、該暖房循環回路又は該風呂追い焚き回路のドレン通過経路を洗浄することとすれば、ドレンが混入した回路内の水を上水でさらに希釈できる。
【００２５】
本発明においては、  前記一定の時間が、前記暖房循環回路又は前記風呂追い焚き回路に注入されたドレンが前記ドレン排水管路から排水されたと予想される時間より長いこととすれば、上水で希釈されたドレンが排水された後も上水を補水し続けるので、ドレン通過経路を上水で洗浄できる。
【００２６】
本発明においては、  前記暖房循環回路又は前記風呂追い焚き回路のドレン経過通路の洗浄後、該暖房循環回路又は該風呂追い焚き回路に補水しながら前記暖房循環ポンプ又は風呂循環ポンプを一定時間運転させて、該暖房循環回路又は該風呂追い焚き回路のエア抜き運転を行うこととすれば、回路内に適宜な量の上水又は浴槽水を循環させることができる。
【００２７】
本発明においては、  前記暖房循環回路又は風呂追い焚き回路のドレン経過通路の洗浄及びエア抜き運転後に前記暖房装置の運転又は前記風呂追い焚き運転を再開した後、  前記ドレンタンクの水位が高水位に達した場合に、エラーを発信して前記給湯器本体及び前記暖房装置の運転並びに前記風呂追い焚き運転を停止することとできる。
【００２８】
ｐＨセンサーで検知されたドレンのｐＨが閾値以下となって、つまり、中和器にトラブルが生じた後、再びドレンを排水する必要が生じた場合に、エラーとして各機器の運転を停止することにより、中和器の交換や修理を促す。
【００２９】
本発明においては、  前記暖房循環回路又は前記風呂追い焚き系統のドレン経過通路の洗浄及びエア抜き運転後に前記暖房装置の運転又は前記風呂追い焚き運転を再開した後で、前記ドレンタンクの水位が高水位に達した場合に、  ドレンの排水、前記暖房循環回路又は前記風呂追い焚き回路のドレン通過経路の洗浄及び前記暖房循環回路又は前記風呂追い焚き回路のエア抜き運転を繰り返し行うこともできる。
【００３０】
ｐＨセンサーで検知されたドレンのｐＨが閾値以下となって、つまり、中和器にトラブルが生じた後でも、ドレンの排水、ドレン通過経路の洗浄及びエア抜き運転を行うことにより、酸性のドレンによる回路の劣化の可能性を低くできる。
【００３１】
本発明においては、  前記ｐＨセンサーで検知されたドレンのｐＨが閾値以下の場合、  前記ドレンタンクの水位が低水位となるまでドレンを該ドレンタンクから排出することが好ましい。
ドレンタンクからドレンをできるだけ低水位まで排出すると、次にドレンが高水位まで（ドレン排水の必要があるまで）貯留する時間を長くできる。この時間中に、新しい中和器や部品の手配等を行うことができ、中和器を速やかに交換又は修理できる。
【００３２】
本発明においては、  前記ｐＨセンサーが、ドレン排水を指示する信号を受けたときのみ電源がオンされることとすれば、ｐＨセンサーの消費電力の低減、及びｐＨセンサーの劣化防止に有効である。
【発明の効果】
【００３３】
以上の説明から明らかなように、本発明によれば、ドレンを排出するドレン排出系統に改良を加えることで、装置内の各部品の劣化を防止できるようにした潜熱回収型温水暖房装置を提供できる。
【発明を実施するための形態】
【００３４】
以下、本発明の実施の形態について、図面を参照しながら詳細に説明する。
図１は、１つの本発明の実施の形態に係る潜熱回収型温水暖房装置の主な配管系統を模式的に示す図である。
図２は、ドレン排水系統の作用を説明するフローチャートである。
【００３５】
潜熱回収型温水暖房装置１は、給湯器本体（燃焼室）１０と、同本体１０と往復の配管で接続された低温暖房装置端末９０及び高温暖房装置端末１００とから構成される。低温暖房装置端末９０は、例えば、床暖房装置やパネルヒーターなどの装置を含む。また、高温暖房装置端末１００は、例えば、風呂暖房装置やミストサウナ装置、台所暖房装置などを含む。
同装置１の配管系統は、本体１０から低温暖房装置端末９０へ往く低温暖房往き配管４２及び高温暖房装置端末１００へ往く高温暖房往き配管３５と、各暖房装置端末９０、１００から本体１０へ戻る暖房戻り配管３１とからなる暖房循環回路を形成している。そして、後述する暖房循環ポンプ１７により循環管路内を温水が循環する。
【００３６】
本体１０内には、暖房循環回路の上流から下流に向けて、二次（潜熱回収型）熱交換器１１、暖房タンク（シスターン）１３、暖房循環ポンプ１７、一次（顕熱回収型）熱交換器１９等が備えられている。さらに、二次熱交換器１１で発生するドレンを回収するためのドレン排水系統７０が備えられている（詳細後述）。
【００３７】
配管系統内の温水の主な流れについて、暖房戻り配管３１の部分から説明する。
各暖房装置端末からの暖房戻り配管３１は、本体１０内で、まず、二次熱交換器１１に接続されている。二次熱交換器１１を出た暖房戻り配管３２は暖房タンク１３に接続されており、配管内の水は同タンク１３内に一時的に貯留される。暖房タンク１３には、オーバーフロー検知可能な水位センサ１４が備えられている。また、同タンク１３には、補水配管１５が接続している。
【００３８】
暖房タンク１３から出た配管３３には、暖房循環ポンプ１７が備えられている。そして、同配管３３は暖房循環ポンプ１７の下流で、２本の配管３４、４１に分岐している。
【００３９】
一方の配管３４は一次熱交換器１９に接続され、同一次熱交換器１９を通過して高温暖房往き配管３５に接続されている。この高温暖房往き配管３５は、本体１０を出て、ドレン排水弁７９に接続されている。ドレン排水弁７９については後述する。同弁７９を出た配管３６は、高温暖房装置端末１００に接続されている。
暖房循環ポンプ１７の下流で分岐した他方の配管４１は、同熱交換器１９を通過しない低温配管であり、熱動弁（ＯＮ・ＯＦＦ弁）２５を介して低温暖房往き配管４２に接続されている。
【００４０】
以上のような構成により、暖房循環回路は、低温水が循環する低温循環回路と高温水が循環する高温循環回路を有する。低温循環回路は、暖房戻り配管３１から、潜熱回収型熱交換器１１、暖房戻り配管３２、暖房タンク１３、配管３３及び低温暖房往き配管４１、４２を通り、低温暖房装置９０へ至る回路である。一方、高温循環回路は、暖房戻り配管３１から、潜熱回収型熱交換器１１、暖房戻り配管３２、暖房タンク１３、配管３３、３４、一次熱交換器１９及び高温暖房往き配管３５、３６を通り、高温暖房端末１００へ至る回路である。
【００４１】
また、二次熱交換器１１を通過した暖房戻り配管３２と、高温暖房往き配管３５とはバイパス配管４５でバイパスされている。バイパス配管４５には、電磁開閉弁や流量調整弁などからなるバイパス弁２７が備えられている。さらに、バイパス配管４５のバイパス弁２７の上流側と下流側が補助バイパス配管４６でバイパスされている。このバイパス配管４５は、暖房戻り配管３２内に高温暖房往き配管３５からの高温水を合流させて、暖房タンク１３内の水の温度、すなわち低温暖房装置端末９０に送る水の温度が適宜な温度となるように調整するためのものである。
【００４２】
さらに、二次熱交換器１１を通過する前の暖房戻り配管３１と、高温暖房往き配管３５とは風呂バイパス配管４７でバイパスされている。この風呂バイパス配管４７は、風呂用配管４９と液−液熱交換している。
【００４３】
次に、一次熱交換器１９と二次熱交換器１１の配置及び潜熱回収作用について説明する。
一次熱交換器１９の下方にはバーナ２１が備えられている。そして、二次熱交換器１１は、一次熱交換器１９に対して、バーナ２１で発生した燃焼ガスの流れる方向（上方）に設置されている。バーナ２１で燃焼用ガスが燃焼すると、火炎と燃焼ガスが発生する。この火炎による輻射熱と燃焼ガスによって一次熱交換器１９が加熱され、管内を流れる水が加熱される。なお、図示しないが、バーナ２１の近傍にはファンが備えられており、バーナ２１に燃焼用空気を供給するとともに、バーナ２１の燃焼ガスを二次熱交換器１１へ送っている。これにより燃焼ガスは上方に流れて、同ガス中に含まれる高温の水蒸気が二次熱交換器１１に接触し、管内を流れる水が水蒸気の潜熱を吸収する。このような作用により、配管内の水が加熱される。これにより水蒸気は凝縮して水（ドレン）に変化する。この水は、二次熱交換器１１の下方に設置されているドレン受け２３に滴下する。
【００４４】
なお、図示していないが、各配管の適宜な位置には温度センサが配置されており、管内の水の温度を検知している。そして、低温暖房往き配管４２内の水の温度が約４０〜６０℃、高温暖房往き配管３５内の水の温度が約８０℃となるように、バーナ２１に供給されるガスの量や、バイパス配管４５のバイパス弁２７の開度が調整される。これらの制御は、本体１０内に設けられたコントローラ６０で行われる。また、後述するように、ドレン注入弁７７とドレン排水弁７９もコントローラ６０で制御される。
【００４５】
次に、二次熱交換器１１で発生したドレンを排出するドレン排水系統７０について説明する。
ドレン排水系統７０は、上流から下流に向けて配置された、中和器７１と、ドレンタンク７３と、ドレンタンク７３から暖房循環回路の配管３３に延びるドレン注入管路７５と、高温暖房往き配管３５からドレン排水弁７９を介して分岐するように設けられたドレン排水管路３７とから主に構成される。ドレン受け２３から延びる配管８５は、中和器７１を経由してドレンタンク７３に接続されている。ドレン受け２３に溜まったドレンは配管８５を通って、中和器７１で中和された後、ドレンタンク７３に一時的に貯留される。ドレンタンク７３には水位計７４が備えられている。なお、中和器７１とドレンタンク７３が一体に設けられたものを使用することもできる。
また、中和器７１には、温水暖房装置１の別の潜熱回収型給湯器から延びるドレン配管も接続している。
【００４６】
さらに、ドレンタンク７３には、開閉弁８３を備えた補水配管８１が接続している。この補水配管８１は、適宜な量の上水をドレンタンク７３に補給して、ドレンタンク７３内のドレンを希釈するためのものである。
【００４７】
ドレン注入管路７５は、ドレンタンク７３から、暖房循環ポンプ１７の上流の配管３３に接続している。また、同管には、上流側から、管内のドレンのｐＨを検知するためのｐＨメーター７６と、ドレン注入弁（開閉弁）７７が設けられている。
【００４８】
ドレン排水弁７９は、上述のように、高温暖房往き配管３５に設けられている。ドレン排水弁７９は三方弁であり、第一のポート７９ａは高温暖房往き配管３５に接続され、第二のポート７９ｂは高温暖房装置端末１００に延びる配管３６に接続され、第三のポート７９ｃは浴室ドレンパン１２０等に繋がるドレン排水管路３７に接続されている。ドレン排水管路３７の末端は空気中に開放されている。ドレン排水弁７９は、通常運転時には、第一のポート７９ａと第二のポート７９ｂが開で、第三のポート７９ｃが閉となっている。
なお、ドレン排水弁７９として、三方弁の代わりに２個の開閉弁を使用することもできる。
【００４９】
なお、図１は、高温暖房装置端末１００がミストサウナ装置である例を示している。ミストサウナ装置は風呂に設置されており、同装置で発生する排水を浴室のドレンパン１２０などへ排水する排水管１１１が敷設されている。このため、ドレン排水弁７９をミストサウナ装置１００の近傍に設けて、同弁７９から延びるドレン排水管路３７をこのドレンパン１２０に接続すれば、管路３７の長さが短くて済み、敷設工事を簡易にできる。
【００５０】
また、ドレン排水管路３７を暖房装置端末１００の排水管１１１に直接接続することもできる。この場合、その後の配管が１本で済む。
【００５１】
さらに、この場合、ドレン排水弁７９をミストサウナ装置１００の制御部１６０と信号線で接続する。ドレン排水弁７９はミストサウナ装置１００の近傍に設けられているため、この信号線の長さも比較的短くできる。そして、ミストサウナ装置１００の制御部１６０は、本体１０の制御部６０と信号線で接続されている。このため、ドレン排水弁７９は、本体の制御部６０から、ミストサウナ装置１００の制御部１６０を介して制御可能となる。
また、台所のシンク下にドレン排水弁７９を設ける場合は、台所リモコンから信号線を引くこともできる。
【００５２】
次に、ドレン排水系統７０の作用について、図１、図２を参照して説明する。
通常運転時（ドレン排出時以外）は、ドレン注入弁７７は閉となっている。また、ドレン排水弁７９は、第一のポート７９ａと第二のポート７９ｂが開で、第三のポート７９ｃが閉となって、高温水は、本体１０から高温暖房往き配管３５、３６を通って高温暖房装置端末１００に送られている。
【００５３】
このような通常運転中、ステップ１で、ドレンタンク７３内のドレンの水位を水位センサ７４で検知する。ドレン水位が高水位に達すると、ステップ２でドレン注入弁７７を開として、暖房循環回路にドレン水を注入する。ドレン注入管７５は、暖房循環ポンプ１７の上流の配管３３に接続しているので、ドレンは同ポンプ１７によりドレンタンク７３から引かれて、ドレン注入管７５を通って配管３３に注入され、回路内を循環している水と混合される。そして、ステップ３で、ｐＨメータ７６でドレン注入管７５内のドレン水のｐＨを検知する。ここで、ｐＨが６．５以上であれば、ドレン水が十分に中和されていると判断され、ステップ４に進んで通常のドレン排水運転を行う。なお、通常のドレン排水運転は、暖房循環回路にドレンを注入し、ドレン水の合流により暖房回路内の水量が増えて暖房タンク１３の水位が高くなると、ドレン排水弁７９を切り換えて、同回路のドレン排水管路３７から排水するという作業である。
【００５４】
一方、ステップ３で、ドレンのｐＨが６．５より低ければ、ドレンが中和されていないことであり、中和器７１の故障や中和能力の低下を示す。そこで、ステップ５に進んで中和器エラーをランプの点滅等の方法で報知する。そして、ドレンがドレンタンク７３から暖房回路へ注入されて、ドレンタンク７３内の水位が低水位（Ｌ）に達すると（ステップ６）、ステップ７でドレン注入弁７７を閉じて、ドレンの暖房回路への注入を停止し、ステップ８で暖房機器の運転を停止する。
【００５５】
その後、以下のステップにおいて、暖房回路内に注入されたドレンを排水した後、暖房回路の洗浄を行う。
まず、ステップ９で、ドレン排水弁７９を、第二のポート７９ｂを閉、第三のポート７９ｃを開に切り替えて、高温水循環回路内の温水をドレン排水管路３７から排水し、ステップ１０で、補水配管１５から、暖房タンク１３に上水の補給を開始する。これにより、高温水循環回路の、ドレン通過経路（ドレン注入管７５との合流部からドレン排水弁７９までの部分）を、暖房タンク１３に補給された上水で洗浄する。次に、ステップ１１で、ドレン排水弁７９を切り換えてから（すなわち、高温水循環回路において、上水が補水されながらドレン排水管路３７から排水が開始されてから）所定時間（一例で３分）以上経過したかどうかを判断し、所定時間以上経過すると、ステップ１２でドレン排水弁７９を、第二のポート７９ｂを開、第三のポート７９ｃを閉に切り替えて、ドレン排水管路３７からの排水を停止する。
【００５６】
つまり、高温水循環回路のドレン通過経路を、暖房タンク１３に補水された上水を所定時間流して洗浄する。ここで、上水を流す時間は、暖房回路に注入された全てのドレンが、ドレン通過経路（配管３３、３４、一次熱交換器１９、高温暖房往き配管３５、ドレン排水弁７９及びドレン排水管路３７）を通って排水される時間と、暖房タンク１３に補給
された上水のみが、このドレン通過経路を通って排水される時間を加えた時間である。したがって、ドレンが混入した水を完全に排水した後、上水のみを所定時間流してドレン通過経路を洗浄する。
【００５７】
暖房循環回路では、ドレン排水弁７９が切り換えられた後も、暖房タンク１３に補水されている。そこで、ステップ１３で、暖房タンク１３の水位を検知し、同水位が高水位（Ｈ）に達するまで上水を補給する（エア抜き運転）と、ステップ１４で補給を停止する。その後、ステップ１５で、ドレン排水弁７９の切り換え回数をカウントして、切り換えが３回行われたかどうかを判断する。３回以下であれば、ステップ９に戻り、再度ドレン排水弁７９を同様に切り換えて、ステップ１０からステップ１４まで順に進み、暖房回路内の希釈洗浄を行う。
【００５８】
以上の作業を、ドレン排水弁７９の切り換え回数が４回目となるまで行う。つまり、暖房回路内の排水と補水とを、繰り返して３回行うことにより、同回路内に混入したドレンはほぼ完全に排水されるとともに、ドレン通過経路を洗浄できる。ステップ１５でドレン排水弁７９の切り換え回数が４回目となると、ステップ１６に進んで、暖房機器の運転を開始する。そして、ステップ１７でドレンタンク７３の水位が高水位に達すると、ステップ１８で暖房機器の運転を停止して、ランプの点滅や警報音を発してエラー報知する。
【００５９】
なお、ステップ６において、ドレンタンク７３内のドレンを低水位となるまで排出することによって、ステップ１７でドレン水位が高水位に達するまでの時間をできるだけ長くとることができる（時間をかせげる）。そこで、この時間中に、新しい中和器や部品の手配等を済ませておけば、ステップ１８でエラー報知されたときに、速やかに中和器の交換や修理を行うことができる。
【００６０】
なお、ドレン排水系統として高温暖房往き配管３５を使用することは、以下の理由よる。低温循環回路中に設置される低温暖房装置端末９０は、比較的運転時間が長く、高温循環回路中に設置される高温暖房装置端末１００は比較的運転時間が短い。つまり、比較的長い、高温暖房装置端末１００が運転されていない時間中に、暖房往き配管３５をドレン排水系統として使用する。これにより、低温暖房装置端末９０は、ドレン排水中も運転され続けることができる。そして、高温暖房装置端末１００は、運転されていないタイミングを見計らってドレン排水するため、強制的に運転を停止させるようなことは起こり難い。
【００６１】
なお、この例では、中和器７１の不具合を一度検知すると、フローチャートに示すように、ステップ１８で暖房機器と給湯器の運転を停止した。しかし、中和器７１が不具合となっても、上述の作業を行うことにより、ドレンの排水と、暖房回路中のドレン通過経路の洗浄を行うことができるため、ステップ１７で、ドレンタンク７３のドレン水位が高水位となった後、ステップ２に戻って、ドレン排水及び暖房回路の洗浄作業を繰り返して行うこともできる。
【００６２】
図３は、ドレン排水機構の他の例を示すフローチャートである。
この例では、ステップ１０で、暖房タンク１３に補水を開始した後、ステップ１０１で暖房循環ポンプ１７の回転数を上げる。これにより、暖房回路内に注入されたドレンをできるだけ速やかに排水し、暖房回路がドレン水に晒されている時間をできるだけ短くできる。そして、ステップ１１でドレン排水弁７９を所定時間以上開いた後、ステップ１１１で暖房循環ポンプ１７の回転数を元に戻し、ステップ１２でドレン排水弁７９を閉じる。
【００６３】
図４は、本発明の他の実施の形態に係る潜熱回収型温水暖房装置の主な配管系統を模式的に示す図である。
図５は、図４の潜熱回収型温水暖房装置のドレン排水系統の作用を説明するフローチャートである。
図４において、図１と同じ符号を付す部品は、図１の部品と同じ構成・作用を有し、説明を省略する。
【００６４】
この例では、ドレン排水系統７０において、ドレンタンクとして暖房タンク１３を兼用し、中和器７１から暖房タンク１３にドレン注入管７５が延びている。ドレン注入管７５には、上流側からｐＨメーター７６、ドレン注入弁７７が設けられている。この装置１においては、ドレンタンクを設けていないため、図１の暖房装置と比べて部品数を減らすことができ、本体１０の体積を低くできる。
【００６５】
図５のフローチャートに示すドレン排水作業は、図２のフローチャートのドレン排水作業とほぼ同様であるが、以下の点で異なる。
まず、ステップ１Ａで、ドレン排水信号を受信した後、ステップ２でドレン注入弁７７を開く。図１の暖房装置では、ドレンタンクの水位を検知して同水位が高水位に達したときにドレン注入弁７７を開としたが、この例の暖房装置は、ドレンタンクを使用していないため、例えば、中和器７１に設置されたセンサーで検知することによりドレン排水信号を発して、ドレン注入弁７７を開とする。これにより、ドレン受け２３やドレン排水管８５、７５に貯留していたドレンが暖房タンク１３に移されて、同タンク内の水によって希釈される。
【００６６】
そして、ステップ６Ａで、暖房タンク１３にドレンが混入して水位が高水位に達すると、ステップ７でドレン注入弁７７を閉じる。その後、ステップ８で暖房機器の運転を停止した後、ステップ９からステップ１６までの作業を行う。ただし、この作業中に、暖房タンク１３に移されたドレンが全て排水された後、暖房タンク１３に補水された上水のみがドレン通過経路を通って排水されるように、各弁の開度や弁の開時間を選定する。
【００６７】
そして、ステップ１６で暖房機器の運転を再開し、ステップ１７Ａでドレン排水信号を受信すると、ステップ１８でエラー報知して、暖房装置の運転を停止する。
【００６８】
図６（Ａ）は、１つの本発明の実施の形態に係る潜熱回収型風呂給湯装置の主な配管の系統を模式的に示す図であり、図６（Ｂ）は図６（Ａ）の変形例である。
この潜熱回収型風呂給湯器２０１は、給湯器本体（燃焼室）２１０内に、給湯系統２０３と、風呂追い焚き系統２０５と、暖房系統２０７とを有する。
【００６９】
図の左上側に示す暖房系統２０７は、暖房装置（図示されず）と本体２１０との間で温水を循環する循環回路を有する。循環回路は、暖房装置（図示されず）から本体２１０に戻る戻り配管２３１、潜熱回収型熱交換器２１１、暖房タンク２１３、暖房ポンプ２１７暖房ポンプ２１７の下流で分岐する、一次熱交換器２１９を通る高温暖房装置往き配管２３５と、同熱交換器２１９を通らない低温暖房装置往き配管２４１とから主に構成される。戻り配管２３１と高温暖房装置往き配管２３５はバイパス配管でバイパスされており、このバイパス配管に、後述する風呂追い焚き系統２０５と液−液熱交換する熱交換器２３６が設けられている。潜熱回収型熱交換器２１１で発生するドレンはドレン受け２２３に溜まり、排水管２８５を通って、後述するドレン排水系統２７０の中和器２７１に送られる。
【００７０】
図の右側に示す給湯系統２０３は、給水源から上水を本体２１０に送る給水配管２５１、潜熱回収型熱交換器２５２、一次熱交換器２５３、給湯栓に繋がる給湯配管２５４から主に構成される。さらに、同系統２０３は、給水配管２５１と給湯配管２５４をバイパスするバイパス配管２５５を有する。バイパス配管２５５にはバイパス弁２５６が設けられている。潜熱回収型熱交換器２５２で発生するドレンはドレン受け２８７に溜まり、排水管２８９を通って、後述するドレン排水系統２７０の中和器２７１に送られる。
【００７１】
図の左下側に示す風呂追い焚き系統２０５は、風呂２６０から本体２１０に戻る風呂戻り配管２４５、風呂循環ポンプ２５８、熱交換器２４６、本体２１０から風呂２６０に往く風呂往き配管２４７、２４８等から構成される風呂追い焚き回路を有する。熱交換器２４６は、前述の暖房系統２０７の熱交換器２３６と（液−液）熱交換する。
【００７２】
次に、給湯系統２０３の潜熱回収型熱交換器２５２及び暖房系統２０７の潜熱回収型熱交換器２１１で発生したドレンを排出するドレン排水系統２７０について説明する。
ドレン排水系統２７０は、図１の暖房装置と同様に、中和器２７１と、ドレンタンク２７３と、ドレン注入管路２７５と、風呂往き配管２４７からドレン排水弁２７９を介して分岐するように設けられたドレン排水管路２４９とから主に構成される。ドレン注入管路２７５には、上流側から、管内のドレンのｐＨを検知するためのｐＨメーター２７６と、ドレン注入弁２７７が設けられている。そして、ドレン注入管路２７５は、風呂追い焚き系統２０５の風呂戻り配管２４５の風呂循環ポンプ２５８の上流に接続している。また、ドレンタンク２７３には、給湯系統２０３の給水配管２５１から分岐した補水配管２９１が接続している。補水配管２９１には電磁弁２９３が設けられている。
【００７３】
ドレン排水弁２７９は、風呂追い焚き系統２０５の風呂往き配管２４７に設けられている。同弁２７９は三方弁であり、第一のポート２７９ａは風呂往き配管２４７に接続され、第二のポート２７９ｂは浴槽２６０に延びる配管２４８に接続され、第三のポート２７９ｃは浴室ドレンパン２６１等に繋がるドレン排水管路２４９に接続されている。ドレン排水管路２４９の末端は空気中に開放されている。ドレン排水弁２７９は、通常運転時には、第一のポート２７９ａと第二のポート２７９ｂが開で、第三のポート２７９ｃが閉となっている。
なお、ドレン排水弁２７９として、三方弁の代わりに２個の開閉弁を使用することもできる。
【００７４】
給湯系統２０３の潜熱回収型熱交換器２５２で発生したドレンと、暖房系統２０７の潜熱回収型熱交換器２１１で発生したドレンは、中和器２７１で中和された後、ドレンタンク２７３に貯留される。ドレン排水時には、ドレンはドレンタンク２７３からドレン注入管２７５を通って風呂戻り配管２４５に送られて、同配管２４５内を流れるお湯と混合される。ドレンが混合したお湯は、風呂ポンプ２５８によって、風呂戻り配管２４５から、（液−液）熱交換器２４６、風呂往き配管２４７、ドレン排水弁２７９及びドレン排水管路２４９を通って、浴室ドレンパン２６１から排水される。
なお、浴槽２６０に湯がない場合には、ドレン注入管２７５と風呂戻り配管２４５の合流部から、ドレンが風呂戻り配管２４５内を落下して浴槽２６０に流れ込むおそれがある。また、この場合、風呂ポンプ２５８稼動初期に、両配管の合流部からドレンを汲み上げ難い。そこで、ドレンの浴槽２６０への流入を防ぐために、両配管の合流部のやや上流側（風呂側）に閉止弁２７８を設けることが好ましい。もしくは、図６（Ｂ）に示すように、閉止弁２７８の代わりに逆止弁２７８´を設けてもよい。逆止弁の方が省電力である点でより好ましい。
【００７５】
このドレン排出機構２７０のドレン排水作業は、図２のフローチャートとほぼ同様に行うことができる。ただし、ドレン通過経路の洗浄作業やエア抜き運転は図２のフローチャートと異なる。以下、図２のフローチャートとの相違点のみを主に説明する。
図２のフローチャートにおいて、ステップ２で、ドレン注入弁２７７を開くと、ドレンはドレンタンク２７３から風呂追い焚き回路に注入されて、同回路内を流れる浴槽水によって希釈される。そして、ステップ８で風呂給湯器の追い焚き運転又は注湯運転を停止した後、ステップ９で、ドレン排水弁２７９を、第二のポート２７９ｂを閉、第三のポート２７９ｃを開に切り替え、風呂追い焚き回路内の温水を排水管２４９から排水する。
【００７６】
次に、ステップ１０で、ドレンタンク２７３に補水配管２８１から上水の補給を開始する。これにより、ドレンタンク２７３内のドレンが、補給された上水で希釈される。そして、希釈されたドレンが、風呂追い焚き回路のドレン通過経路（風呂戻り配管２４５のドレン注入管２７５との合流部から、熱交換器２４６、風呂往き配管２４７を経てドレン排水弁２７９までの部分）を通ってドレン排水管路２４９から排水される。
【００７７】
そして、ステップ１１で、ドレン排水弁２７９を切り換えてから（すなわち、風呂追い焚き回路において、ドレンタンク２７３に上水が補給されながらドレン排水管路２４９から排水が開始されてから）所定時間（一例で５分）以上経過したかどうかを判断し、所定時間以上経過すると、ステップ１２でドレン排水弁２７９を、第二のポート２７９ｂを開、第三のポート２７９ｃを閉に切り替えて、排水管２４９からの排水を停止する。
【００７８】
つまり、風呂追い焚き回路のドレン通過経路を、ドレンタンク２７３に補給された上水を所定時間流して洗浄する。ここで、上水を流す時間は、風呂追い焚き回路に注入された全てのドレンが、ドレン通過経路を通って排水される時間と、ドレンタンク２８３内のドレンが全て上水に置き換わって、ドレンタンク２７３に補給された上水のみが、ドレン通過経路を通って排水される時間である。これにより、ドレンが混合した上水を完全に排水した後、上水のみでドレン通過経路を洗浄する。
【００７９】
そして、ステップ１６に進んで、風呂給湯器の運転を開始する。そして、ステップ１７でドレンタンク７３の水位が高水位に達すると、ステップ１８で風呂給湯器の運転を停止して、ランプの点滅や警報音を発してエラー報知する。なお、ドレン処理をした場合、風呂の湯量が減ることが考えられるので、湯量に合わせて注湯運転や追い焚き運転を行う必要がある。
【００８０】
図１、図６に示した例では、ドレンタンク７３、２７３に貯留しているドレンを排水するために暖房循環回路又は風呂追い焚き回路に備えられている暖房循環ポンプ１７又は風呂循環ポンプ２５５を使用したが、ドレン注入管７５、２７５にドレン排水専用のポンプを設けることもできる。この場合、ドレン注入管７５、２７５の暖房循環回路又は風呂追い焚き回路との合流位置を、暖房循環ポンプ１７や風呂循環ポンプ２５５の上流ではなく、任意の位置にすることができる。例えば、より排水弁７９、２７９に近い位置にすることにより、暖房循環回路や風呂追い焚き回路のドレン通過経路をより短くできる。
【００８１】
また、これらの例では、ｐＨセンサー７６、２７６が、ドレン排水を指示する信号を受けたときのみ電源がオンされることとすれば、同センサーの消費電力の低減、及び劣化防止に有効である。
【図面の簡単な説明】
【００８２】
【図１】１つの本発明の実施の形態に係る潜熱回収型温水暖房装置の主な配管系統を模式的に示す図である。
【図２】ドレン排水系統の作用を説明するフローチャートである。
【図３】ドレン排水機構の他の例を示すフローチャートである。
【図４】本発明の他の実施の形態に係る潜熱回収型温水暖房装置の主な配管系統を模式的に示す図である。
【図５】図４の潜熱回収型温水暖房装置のドレン排水系統の作用を説明するフローチャートである。
【図６】図６（Ａ）は、１つの本発明の実施の形態に係る潜熱回収型風呂給湯装置の主な配管の系統を模式的に示す図であり、図６（Ｂ）は図６（Ａ）の変形例である。
【符号の説明】
【００８３】
１  潜熱回収型温水暖房装置              １０  本体
１７  暖房循環ポンプ                      １１  二次（潜熱回収型）熱交換器
１３  暖房タンク（シスターン）            １４  水位センサ
１５  補水配管                            １７  暖房循環ポンプ
１９  一次（顕熱回収型）熱交換器          ２１  バーナ
２３  ドレン受け                          ２５  熱動弁
２７  バイパス弁                          ３１、３２  暖房戻り配管
３３、３４、  配管                        ３５、３６  高温暖房往き配管
３７  ドレン排水管路                      ４２  低温暖房往き配管
４５  バイパス配管                        ４６  補助バイパス配管
４７  風呂バイパス配管                    ４９  風呂用配管
６０  コントローラ
７０  ドレン排水系統                      ７１  中和器
７３  ドレンタンク                        ７４  水位計
７５  ドレン注入管路                      ７６  ｐＨメータ
７７  ドレン注入弁                        ７９  ドレン排水弁
８１  補水配管                            ８３  開閉弁
８５  配管                                ９０  低温暖房装置端末
１００  高温暖房装置端末                  １１１  排水管
１２０  浴室ドレンパン                    １６０  制御部
２０１  潜熱回収型風呂給湯器              ２０３  給湯系統
２０５  風呂追い焚き系統                  ２０７  風呂追い焚き系統
２１０  給湯器本体（燃焼室）              ２１１  潜熱回収型熱交換器
２１３  暖房タンク                        ２１７  暖房ポンプ
２１９  一次熱交換器                      ２３１  暖房戻り配管
２３５  高温暖房装置往き配管              ２３６  熱交換器
２４１  低温暖房装置往き配管              ２４５  風呂戻り配管
２４６  熱交換器                          ２４７、２４８  風呂往き配管
２４９  ドレン排水管路                    ２５１  給水配管
２５２  潜熱回収型熱交換器                ２５３  一次熱交換器
２５４  給湯配管                          ２５５  バイパス配管
２５６  電磁弁                            ２５８  風呂ポンプ
２６０  風呂                              ２６１  防水パン
２７０  ドレン排水系統                    ２７１  中和器
２７３  ドレンタンク                      ２７５  ドレン注入管路
２７６  ｐＨメータ                        ２７７  ドレン注入弁
２７８  閉止弁                            ２７９  ドレン排水弁
２８５  排水管                            ２８７  ドレン受け
２８９  排水管                            ２９１  補水配管
２９１  電磁弁
【図１】
2006162121.tif 000003
【図２】
2006162121.tif 000004
【図３】
2006162121.tif 000005
【図４】
2006162121.tif 000006
【図５】
2006162121.tif 000007
【図６】
2006162121.tif 000008